(57)【特許請求の範囲】
【請求項１】
送風機の正面側、上面側および背面側を囲んで熱交換器を配置し、正面側および上面側の吸込口から室内の空気を吸い込んで熱交換した空気を下面側の送出口より送り出す室内ユニットを有する空気調和機において、
背面側の前記熱交換器は、上面側の前記吸込口と前記送風機との間であって、前記送風機を挟んで前記送出口の反対側で、前記送風機側の面が下方に向けて傾斜して設けられ、その下部の下方域で前記送風機との間に配置されたドレンパンに下部の前記送風機側の面全体が対向しており、かつ上部の前記送風機側の面が一定に傾斜しつつ下部の前記送風機側の面が下端に至って前記送風機および前記ドレンパンから離れるように、上部の前記送風機側の面よりも垂直に対する角度を大きく形成されていることを特徴とする空気調和機。
【請求項２】
背面側の前記熱交換器の下部の前記送風機側の面は、背面側に向けて湾曲されていることを特徴とする請求項１に記載の空気調和機。
【請求項３】
背面側の前記熱交換器の下部の前記送風機側の面は、背面側に向けて屈曲されていることを特徴とする請求項１に記載の空気調和機。
【請求項４】
背面側の前記熱交換器は、上下に複数分割されていることを特徴とする請求項１に記載の空気調和機。
【請求項５】
背面側の前記熱交換器の下部は、上部よりも空気の通風抵抗が小さいことを特徴とする請求項１〜４のいずれか一つに記載の空気調和機。
【請求項６】
背面側の前記熱交換器は、下端に向けて前後の厚さを漸次薄く形成されていることを特徴とする請求項１〜５のいずれか一つに記載の空気調和機。
【請求項７】
背面側の前記熱交換器の下部は、上部よりも伝熱管を細く形成されていることを特徴とする請求項１〜６のいずれか一つに記載の空気調和機。
【請求項８】
背面側の前記熱交換器の下部は、上部よりもプレートフィンの切り起こしの本数を少なく形成されていることを特徴とする請求項１〜７のいずれか一つに記載の空気調和機。
【請求項９】
背面側の前記熱交換器は、その下部の風上側の面が、上部の風上側の面よりも垂直に対する角度を大きく形成されていることを特徴とする請求項１〜８のいずれか一つに記載の空気調和機。
【請求項１０】
背面側の前記熱交換器は、その下部が上部よりも背面側に配置されていることを特徴とする請求項１〜９のいずれか一つに記載の空気調和機。
【発明の詳細な説明】
【技術分野】
【０００１】
本発明は、空気調和機に関し、さらに詳しくは、室内ユニットの内部に送風機を囲んで熱交換器を配置した空気調和機に関する。
【背景技術】
【０００２】
空気調和機において、壁掛け型の室内ユニットでは、取り付けスペースの低減の要望から小型化される傾向にあるが、小型化されても十分な熱交換効率を得られるように、送風機を囲んで熱交換器を配置したものがある。
【０００３】
従来、例えば、特許文献１に記載の空気調和機では、送風機の正面側、上面側および背面側を囲むように熱交換器を逆Ｖ字状に配置し、正面側下部より空気を吹き出すように構成している。
【先行技術文献】
【特許文献】
【０００４】
【特許文献１】特許第３２３３５５１号公報
【発明の概要】
【発明が解決しようとする課題】
【０００５】
しかし、従来の空気調和機は、背面側に配置された熱交換器の下端部が、その下方のドレンパンに接近していることから、この部分を通過する空気の風速が著しく低下する。このため、背面側の熱交換器の機能が有効に使われないことになる。しかも、背面側の熱交換器を通過する空気の風速が低下することにより、熱交換器全体において通過する空気の風速にばらつきが生じ、送風音の増大につながるおそれがある。なお、背面側の熱交換器の下端部をドレンパンから遠ざけるように、垂直（水平面に直角の方向）に対して当該熱交換器の角度を大きくすることが考えられるが、その場合、冷房時に熱交換器のプレートフィン表面で空気中の水蒸気が凝縮して凝縮水となり、この凝縮水が熱交換器の上端側にてプレートフィン間を通過する空気によって飛ばされ、室内に飛散するおそれがある。
【０００６】
本発明は上述した課題を解決するものであり、室内ユニットの背面側に配置した熱交換器の機能を有効利用しつつ、送風音を低減すると共に、凝縮水の室内への飛散を防止することのできる空気調和機を提供することを目的とする。
【課題を解決するための手段】
【０００７】
上述の目的を達成するために、本発明の空気調和機は、送風機の正面側、上面側および背面側を囲んで熱交換器を配置し、正面側および上面側から室内の空気を吸い込んで熱交換した空気を下面側より送り出す室内ユニットを有する空気調和機において、背面側の前記熱交換器は、少なくとも、その下部の前記送風機側の面が、上部の前記送風機側の面よりも垂直に対する角度を大きく形成されていることを特徴とする。
【０００８】
この空気調和機によれば、背面側の熱交換器の上部と下部とが同じ角度で形成された構成と比較して、下部の送風機側の面がドレンパンから離隔することになる。このため、背面側の熱交換器の下部を通過する空気がドレンパンにより阻害されることがなく、この空気の風速が低下する事態を防止できる。この結果、背面側の熱交換器の熱交換機能を有効に利用することができる。しかも、背面側の熱交換器の下部を通過する空気の風速の低下を防止することから、熱交換器全体において通過する空気の風速にばらつきがなくなるので、送風音を低減することができる。さらに、角度を大きくした部分が背面側の熱交換器の下部のみであるため、冷房時に背面側の熱交換器のプレートフィン表面で空気中の水蒸気が凝縮して凝縮水となった場合、背面側の熱交換器の上部において、凝縮水がプレートフィンを下方に伝うことから、凝縮水がプレートフィン間を通過する空気によって飛ばされることがなく、凝縮水が室内に飛散する事態を防止することができる。
【０００９】
また、本発明の空気調和機では、背面側の前記熱交換器の下部の前記送風機側の面は、背面側に向けて湾曲されていることを特徴とする。
【００１０】
この空気調和機によれば、背面側の前記熱交換器の下部の前記送風機側の面を、上部より垂直に対する角度を大きく形成し背面側寄りに配置することができる。
【００１１】
また、本発明の空気調和機では、背面側の前記熱交換器の下部の前記送風機側の面は、背面側に向けて屈曲されていることを特徴とする。
【００１２】
この空気調和機によれば、背面側の前記熱交換器の下部の前記送風機側の面を、上部より垂直に対する角度を大きく形成し背面側寄りに配置することができる。
【００１３】
また、本発明の空気調和機では、背面側の前記熱交換器は、上下に複数分割されていることを特徴とする。
【００１４】
この空気調和機によれば、背面側の前記熱交換器の下部の前記送風機側の面を、上部より垂直に対する角度を大きく形成し背面側寄りに配置することができる。
【００１５】
また、本発明の空気調和機では、背面側の前記熱交換器の下部の下方域にドレンパンが配置されていることを特徴とする。
【００１６】
この空気調和機によれば、背面側の熱交換器の下部が垂直に対する角度を大きく形成されていても、プレートフィン間を通過する空気によって飛ばされた凝縮水をドレンパンで受けることができるため、凝縮水が室内に飛散する事態を防止することができる。
【００１７】
また、本発明の空気調和機では、背面側の前記熱交換器の下部は、上部よりも空気の通風抵抗が小さいことを特徴とする。
【００１８】
この空気調和機によれば、背面側の熱交換器の下部を通過する風量が増すので、背面側の熱交換器の熱交換機能をさらに有効に利用することができる。しかも、背面側の熱交換器の下部を通過する風量が増すことにより、背面側の熱交換器の下部を通過する空気の風速の低下を防ぐことから、熱交換器全体において通過する空気の風速にばらつきがなくなるので、送風音をさらに低減することができる。また、冷房時に背面側の熱交換器のプレートフィン表面で空気中の水蒸気が凝縮して凝縮水となる場合、背面側の熱交換器の下部を通過する風量が増すために、背面側の熱交換器の下部において凝縮水の量が増し、一方、背面側の熱交換器の上部での凝縮水の量が少なくなるので、背面側の熱交換器の上部において、凝縮水がプレートフィン間を通過する空気によって飛ばされることがなく、凝縮水が室内に飛散する事態を防止することができる。
【００１９】
また、本発明の空気調和機では、背面側の前記熱交換器は、下端に向けて前後の厚さを漸次薄く形成されていることを特徴とする。
【００２０】
この空気調和機によれば、背面側の熱交換器の下部での空気の通風抵抗を小さくすることができる。
【００２１】
また、本発明の空気調和機では、背面側の前記熱交換器の下部は、上部よりも伝熱管を細く形成されていることを特徴とする。
【００２２】
この空気調和機によれば、背面側の熱交換器の下部での空気の通風抵抗を小さくすることができる。
【００２３】
また、本発明の空気調和機では、背面側の前記熱交換器の下部は、上部よりもプレートフィンの切り起こしの本数を少なく形成されていることを特徴とする。
【００２４】
この空気調和機によれば、背面側の熱交換器の下部での空気の通風抵抗を小さくすることができる。
【００２５】
また、本発明の空気調和機では、背面側の前記熱交換器は、その下部の風上側の面が、上部の風上側の面よりも垂直に対する角度を大きく形成されていてもよく、上記効果を得ることができる。
【００２６】
また、本発明の空気調和機では、背面側の前記熱交換器は、その下部が上部よりも背面側に配置されていてもよく、上記効果を得ることができる。
【発明の効果】
【００２７】
本発明によれば、室内ユニットの背面側に配置した熱交換器の機能を有効利用しつつ、送風音を低減すると共に、凝縮水の室内への飛散を防止できる。
【図面の簡単な説明】
【００２８】
【図１】図１は、本発明の実施の形態１に係る空気調和機の側断面図である。
【図２】図２は、本発明の実施の形態２に係る空気調和機の側断面図である。
【図３】図３は、本発明の実施の形態３に係る空気調和機の側断面図である。
【図４】図４は、本発明の実施の形態４に係る空気調和機の側断面図である。
【図５】図５は、本発明の実施の形態５に係る空気調和機の側断面図である。
【図６】図６は、本発明の実施の形態６に係る空気調和機の側断面図である。
【発明を実施するための形態】
【００２９】
以下に、本発明に係る実施の形態を図面に基づいて詳細に説明する。なお、この実施の形態によりこの発明が限定されるものではない。また、下記実施の形態における構成要素には、当業者が置換可能かつ容易なもの、あるいは実質的に同一のものが含まれる。
【００３０】
［実施の形態１］
本実施の形態の空気調和機は、図１に示す室内ユニット１を備えている。室内ユニット１は、壁掛け型のもので、ケーシング２の背面側が壁に固定される。ケーシング２は、その正面側および上面側に、室内の空気を吸い込む吸込口３が設けられている。吸込口３の位置には、エアフィルタ４が設けられている。また、ケーシング２は、その下面側に、空気を送り出す送出口５が設けられている。送出口５の位置には、送り出す空気を導くルーバ６ａおよびフラップ６ｂが設けられている。
【００３１】
ケーシング２の内部中央には、送風機７が設けられている。また、ケーシング２の内部であって、送風機７の正面側、上面側および背面側には、熱交換器８が設けられている。熱交換器８は、プレートフィン８ａが側面方向に複数配列されていると共に、プレートフィン８ａを貫通して伝熱管８ｂが設けられている。熱交換器８は、本実施の形態では、正面側下方、正面側中央、および正面側上方に設けられた正面側熱交換器８Ａａ，８Ａｂ，８Ａｃと、背面側上方に設けられて背面側熱交換器８Ｂとで構成されている。正面側上方の正面側熱交換器８Ａｃの上端と、背面側熱交換器８Ｂの上端は、上面側で向き合って配置されている。また、熱交換器８は、正面側および背面側の２層で構成されている。また、正面側下方の正面側熱交換器８Ａａの下端の下方、および背面側熱交換器８Ｂの下端の下方には、ドレンパン９ａ，９ｂがそれぞれ設けられている。
【００３２】
この空気調和機の室内ユニット１は、送風機７の駆動により、上面側および正面側の各吸込口３から室内の空気が吸い込まれエアフィルタ４で清浄される。清浄された空気は、熱交換器８を通過して熱交換されつつケーシング２の中央に集まりつつ、下面側の送出口５から室内に送り出される。
【００３３】
このような空気調和機において、背面側熱交換器８Ｂは、少なくとも、その下部の送風機７側（風下側）の面が、上部の送風機側７側（風下側）の面よりも垂直に対する角度を大きく形成されている。
【００３４】
具体的には、図１に示すように、背面側熱交換器８Ｂの下部の送風機７側（風下側）の面および風上側の面は、背面側に向けて湾曲されており、背面側熱交換器８Ｂの上部の送風機７側（風下側）の面および風上側の面での垂直に対する角度αに対し、下部での垂直に対する角度βが大きく形成され、下部が背面側に寄って配置されている。ここで、垂直とは、ケーシング２を壁に固定した状態において、水平面に直角の方向を示し、角度αは、この垂直に対して４０［°］以下（好ましくは３５［°］以下）に設定されている。かかる角度αは、冷房時に背面側熱交換器８Ｂのプレートフィン８ａ表面で空気中の水蒸気が凝縮して凝縮水となった場合、この凝縮水がプレートフィン８ａを下方に伝ってドレンパン９ｂに至る角度である。また、角度βは、上記垂直に対して角度αよりも大きい４０［°］以上に設定されている。なお、上記構成に限らず、背面側熱交換器８Ｂの下部の送風機７側（風下側）の面のみが、背面側に向けて湾曲されており、背面側熱交換器８Ｂの上部の送風機７側（風下側）の面での垂直に対する角度αに対し、垂直に対する角度βが大きく形成されていてもよい。
【００３５】
このように、実施の形態１の空気調和機は、背面側熱交換器８Ｂが、少なくとも、その下部の送風機７側（風下側）の面が、上部の送風機側７側（風下側）の面よりも垂直に対する角度を大きく形成されて背面側寄りに配置されている。
【００３６】
この空気調和機によれば、背面側熱交換器８Ｂの上部の送風機側７側（風下側）の面と下部の送風機側７側（風下側）の面とが同じ角度で形成された構成（図１中に二点差線で示す）と比較して、下部がドレンパン９ｂから離隔することになる。このため、背面側熱交換器８Ｂの下部を通過する空気がドレンパン９ｂにより阻害されることがなく、この空気の風速が低下する事態を防ぐことが可能になる。この結果、背面側熱交換器８Ｂの熱交換機能を有効に利用することができる。しかも、背面側熱交換器８Ｂの下部を通過する空気の風速の低下を防ぐことから、熱交換器８全体において通過する空気の風速にばらつきがなくなるので、送風音を低減することができる。さらに、角度を大きくした部分が背面側熱交換器８Ｂの下部のみであるため、冷房時に背面側熱交換器８Ｂのプレートフィン８ａ表面で空気中の水蒸気が凝縮して凝縮水となった場合、背面側熱交換器８Ｂの上部において、凝縮水がプレートフィン８ａを下方に伝うことから、凝縮水がプレートフィン８ａ間を通過する空気によって飛ばされることがなく、凝縮水が室内に飛散する事態を防止することができる。
【００３７】
また、実施の形態１の空気調和機では、背面側熱交換器８Ｂの下部の下方域にドレンパン９ｂが配置されている。
【００３８】
この空気調和機によれば、背面側熱交換器８Ｂの下部が垂直に対する角度を大きく形成されていても、プレートフィン８ａ間を通過する空気によって飛ばされた凝縮水をドレンパン９ｂで受けることができるため、凝縮水が室内に飛散する事態を防止することができる。
【００３９】
［実施の形態２］
本実施の形態について、図面を参照して説明する。図２は、本発明の実施の形態２に係る空気調和機の側断面図である。なお、以下に説明する実施の形態２において、上述した実施の形態１と同等の構成には同一の符号を付してその説明を省略する。
【００４０】
背面側熱交換器８Ｂは、少なくとも、その下部の送風機７側の面が、上部の送風機側７側の面よりも垂直に対する角度を大きく形成されている。
【００４１】
具体的には、図２に示すように、背面側熱交換器８Ｂの下部の送風機７側（風下側）の面および風上側の面は、背面側に向けて屈曲されており、背面側熱交換器８Ｂの上部の送風機７側（風下側）の面および風上側の面での垂直に対する角度αに対し、下部での垂直に対する角度βが大きく形成され、下部が背面側に寄って配置されている。ここで、垂直とは、ケーシング２を壁に固定した状態において、水平面に直角の方向を示し、角度αは、この垂直に対して４０［°］以下（好ましくは３５［°］以下）に設定されている。かかる角度αは、冷房時に背面側熱交換器８Ｂのプレートフィン８ａ表面で空気中の水蒸気が凝縮して凝縮水となった場合、この凝縮水がプレートフィン８ａを下方に伝ってドレンパン９ｂに至る角度である。また、角度βは、上記垂直に対して角度αよりも大きい４０［°］以上に設定されている。なお、上記構成に限らず、背面側熱交換器８Ｂの下部の送風機７側（風下側）の面のみが、背面側に向けて屈曲されており、背面側熱交換器８Ｂの上部の送風機７側（風下側）の面での垂直に対する角度αに対し、垂直に対する角度βが大きく形成されていてもよい。
【００４２】
このように、実施の形態２の空気調和機は、背面側熱交換器８Ｂが、少なくとも、その下部の送風機７側（風下側）の面が、上部の送風機側７側（風下側）の面よりも垂直に対する角度を大きく形成されて背面側寄りに配置されている。
【００４３】
この空気調和機によれば、背面側熱交換器８Ｂの上部の送風機側７側（風下側）の面と下部の送風機側７側（風下側）の面とが同じ角度で形成された構成（図２中に二点差線で示す）と比較して、下部がドレンパン９ｂから離隔することになる。このため、背面側熱交換器８Ｂの下部を通過する空気がドレンパン９ｂにより阻害されることがなく、この空気の風速が低下する事態を防ぐことが可能になる。この結果、背面側熱交換器８Ｂの熱交換機能を有効に利用することができる。しかも、背面側熱交換器８Ｂの下部を通過する空気の風速の低下を防ぐことから、熱交換器８全体において通過する空気の風速にばらつきがなくなるので、送風音を低減することができる。さらに、角度を大きくした部分が背面側熱交換器８Ｂの下部のみであるため、冷房時に背面側熱交換器８Ｂのプレートフィン８ａ表面で空気中の水蒸気が凝縮して凝縮水となった場合、背面側熱交換器８Ｂの上部において、凝縮水がプレートフィン８ａを下方に伝うことから、凝縮水がプレートフィン８ａ間を通過する空気によって飛ばされることがなく、凝縮水が室内に飛散する事態を防止することができる。
【００４４】
また、実施の形態２の空気調和機では、背面側熱交換器８Ｂの下部の下方域にドレンパン９ｂが配置されている。
【００４５】
この空気調和機によれば、背面側熱交換器８Ｂの下部が垂直に対する角度を大きく形成されていても、プレートフィン８ａ間を通過する空気によって飛ばされた凝縮水をドレンパン９ｂで受けることができるため、凝縮水が室内に飛散する事態を防止することができる。
【００４６】
［実施の形態３］
本実施の形態について、図面を参照して説明する。図３は、本発明の実施の形態３に係る空気調和機の側断面図である。なお、以下に説明する実施の形態３において、上述した実施の形態１と同等の構成には同一の符号を付してその説明を省略する。
【００４７】
背面側熱交換器８Ｂは、少なくとも、その下部の送風機７側（風下側）の面が、上部の送風機側７側（風下側）の面よりも垂直に対する角度を大きく形成されている。
【００４８】
具体的には、図３に示すように、背面側熱交換器８Ｂは、上部背面側熱交換器８Ｂａと下部背面側熱交換器８Ｂｂとに分割されている。そして、下部背面側熱交換器８Ｂｂは、上部背面側熱交換器８Ｂａの垂直に対する角度αに対し、垂直に対する角度βが大きく形成され、下部が背面側に寄って配置されている。ここで、垂直とは、ケーシング２を壁に固定した状態において、水平面に直角の方向を示し、角度αは、この垂直に対して４０［°］以下（好ましくは３５［°］以下）に設定されている。かかる角度αは、冷房時に背面側熱交換器８Ｂのプレートフィン８ａ表面で空気中の水蒸気が凝縮して凝縮水となった場合、この凝縮水がプレートフィン８ａを下方に伝ってドレンパン９ｂに至る角度である。また、角度βは、上記垂直に対して角度αよりも大きい４０［°］以上に設定されている。なお、上記構成に限らず、背面側熱交換器８Ｂは、上部背面側熱交換器８Ｂａと下部背面側熱交換器８Ｂｂとに分割され、下部背面側熱交換器８Ｂｂの送風機７側（風下側）の面のみが、背面側に向けて湾曲または屈曲されており、上部背面側熱交換器８Ｂａの送風機７側（風下側）の面での垂直に対する角度αに対し、垂直に対する角度βが大きく形成されていてもよい。
【００４９】
このように、実施の形態３の空気調和機は、背面側熱交換器８Ｂが上下に複数分割され、下部の下部背面側熱交換器８Ｂｂの少なくとも送風機７側（風下側）の面が、上部の上部背面側熱交換器８Ｂａの少なくとも送風機７側（風下側）の面よりも垂直に対する角度を大きく形成されて背面側寄りに配置されている。
【００５０】
この空気調和機によれば、背面側熱交換器８Ｂの上部と下部とが同じ角度で形成された構成（図３中に二点差線で示す）と比較して、分割した下部背面側熱交換器８Ｂｂがドレンパン９ｂから離隔することになる。このため、下部背面側熱交換器８Ｂｂを通過する空気がドレンパン９ｂにより阻害されることがなく、この空気の風速が低下する事態を防ぐことが可能になる。この結果、背面側熱交換器８Ｂの熱交換機能を有効に利用することができる。しかも、背面側熱交換器８Ｂの下部を通過する空気の風速の低下を防ぐことから、熱交換器８全体において通過する空気の風速にばらつきがなくなるので、送風音を低減することができる。さらに、角度を大きくした部分が下部背面側熱交換器８Ｂｂのみであるため、冷房時に背面側熱交換器８Ｂのプレートフィン８ａ表面で空気中の水蒸気が凝縮して凝縮水となった場合、上部背面側熱交換器８Ｂａにおいて、凝縮水がプレートフィン８ａを下方に伝うことから、凝縮水がプレートフィン８ａ間を通過する空気によって飛ばされることがなく、凝縮水が室内に飛散する事態を防止することができる。
【００５１】
なお、実施の形態３では、背面側熱交換器８Ｂを上部背面側熱交換器８Ｂａと下部背面側熱交換器８Ｂｂとの２つに分割した例を説明したが、２つ以上に分割してもよい。
【００５２】
また、実施の形態３の空気調和機では、背面側熱交換器８Ｂの下部、すなわち下部背面側熱交換器８Ｂｂの下方域にドレンパン９ｂが配置されている。
【００５３】
この空気調和機によれば、下部背面側熱交換器８Ｂｂが垂直に対する角度を大きく形成されていても、プレートフィン８ａ間を通過する空気によって飛ばされた凝縮水をドレンパン９ｂで受けることができるため、凝縮水が室内に飛散する事態を防止することができる。
【００５４】
［実施の形態４］
本実施の形態について、図面を参照して説明する。図４は、本発明の実施の形態４に係る空気調和機の側断面図である。なお、以下に説明する実施の形態４において、上述した実施の形態１と同等の構成には同一の符号を付してその説明を省略する。
【００５５】
本実施の形態の空気調和機は、上述した実施の形態１〜実施の形態３において、図４に示すように、背面側熱交換器８Ｂの下部は、下端に向けて前後の厚さを漸次薄く形成されている。なお、図４では、背面側熱交換器８Ｂの下部を屈曲させた実施の形態２の構成を例示している。
【００５６】
この空気調和機によれば、背面側熱交換器８Ｂの上部と下部とが同じ角度で形成された構成（図４中に二点差線で示す）と比較して、下部がドレンパン９ｂからより離隔することになる。このため、背面側熱交換器８Ｂの下部を通過する空気がドレンパン９ｂにより阻害されることがなく、この空気の風速が低下する事態を防ぐことが可能になる。さらに、この空気調和機によれば、背面側熱交換器８Ｂの下部が、下端に向けて前後の厚さを漸次薄く形成されているため、背面側熱交換器８Ｂの下部は、上部よりも空気の通風抵抗が小さく背面側熱交換器８Ｂの下部を通過する風量が増すので、背面側熱交換器８Ｂの熱交換機能を有効に利用することができる。しかも、背面側熱交換器８Ｂの下部を通過する風量が増すことにより、背面側熱交換器８Ｂの下部を通過する空気の風速の低下を防ぐことから、熱交換器８全体において通過する空気の風速にばらつきがなくなるので、送風音を低減することができる。さらに、角度を大きくした部分が背面側熱交換器８Ｂの下部のみであるため、冷房時に背面側熱交換器８Ｂのプレートフィン８ａ表面で空気中の水蒸気が凝縮して凝縮水となった場合、背面側熱交換器８Ｂの上部において、凝縮水がプレートフィン８ａを下方に伝うことから、凝縮水がプレートフィン８ａ間を通過する空気によって飛ばされることがなく、凝縮水が室内に飛散する事態を防止することができる。また、冷房時に背面側熱交換器８Ｂのプレートフィン８ａ表面で空気中の水蒸気が凝縮して凝縮水となる場合、背面側熱交換器８Ｂの下部を通過する風量が増すために、背面側熱交換器８Ｂの下部において凝縮水の量が増し、一方、背面側熱交換器８Ｂの上部での凝縮水の量が少なくなるので、背面側熱交換器８Ｂの上部において、凝縮水がプレートフィン８ａ間を通過する空気によって飛ばされることがなく、凝縮水が室内に飛散する事態を防止することができる。
【００５７】
［実施の形態５］
本実施の形態について、図面を参照して説明する。図５は、本発明の実施の形態５に係る空気調和機の側断面図である。なお、以下に説明する実施の形態５において、上述した実施の形態１と同等の構成には同一の符号を付してその説明を省略する。
【００５８】
本実施の形態の空気調和機は、上述した実施の形態１〜実施の形態４において、図５に示すように、背面側熱交換器８Ｂの下部は、上部よりも伝熱管８ｂを細く形成されている。なお、図５では、背面側熱交換器８Ｂの下部を屈曲させた実施の形態２の構成を例示している。
【００５９】
この空気調和機によれば、背面側熱交換器８Ｂの上部と下部とが同じ角度で形成された構成（図５中に二点差線で示す）と比較して、下部がドレンパン９ｂからより離隔することになる。このため、背面側熱交換器８Ｂの下部を通過する空気がドレンパン９ｂにより阻害されることがなく、この空気の風速が低下する事態を防ぐことが可能になる。さらに、この空気調和機によれば、背面側熱交換器８Ｂの下部が、上部よりも伝熱管８ｂを細く形成されているため、背面側熱交換器８Ｂの下部は、上部よりも空気の通風抵抗が小さく背面側熱交換器８Ｂの下部を通過する風量が増すので、背面側熱交換器８Ｂの熱交換機能を有効に利用することができる。しかも、背面側熱交換器８Ｂの下部を通過する風量が増すことにより、背面側熱交換器８Ｂの下部を通過する空気の風速の低下を防ぐことから、熱交換器８全体において通過する空気の風速にばらつきがなくなるので、送風音を低減することができる。さらに、角度を大きくした部分が背面側熱交換器８Ｂの下部のみであるため、冷房時に背面側熱交換器８Ｂのプレートフィン８ａ表面で空気中の水蒸気が凝縮して凝縮水となった場合、背面側熱交換器８Ｂの上部において、凝縮水がプレートフィン８ａを下方に伝うことから、凝縮水がプレートフィン８ａ間を通過する空気によって飛ばされることがなく、凝縮水が室内に飛散する事態を防止することができる。また、冷房時に背面側熱交換器８Ｂのプレートフィン８ａ表面で空気中の水蒸気が凝縮して凝縮水となる場合、背面側熱交換器８Ｂの下部を通過する風量が増すために、背面側熱交換器８Ｂの下部において凝縮水の量が増し、一方、背面側熱交換器８Ｂの上部での凝縮水の量が少なくなるので、背面側熱交換器８Ｂの上部において、凝縮水がプレートフィン８ａ間を通過する空気によって飛ばされることがなく、凝縮水が室内に飛散する事態を防止することができる。
【００６０】
［実施の形態６］
本実施の形態について、図面を参照して説明する。図６は、本発明の実施の形態６に係る空気調和機の側断面図である。なお、以下に説明する実施の形態６において、上述した実施の形態１と同等の構成には同一の符号を付してその説明を省略する。
【００６１】
本実施の形態の空気調和機は、上述した実施の形態１〜実施の形態５において、図６に示すように、背面側熱交換器８Ｂの下部は、上部よりもプレートフィン８ａの切り起こし８ｃの本数を少なく形成されている。なお、図６では、背面側熱交換器８Ｂの下部を屈曲させた実施の形態２の構成を例示している。
【００６２】
この空気調和機によれば、背面側熱交換器８Ｂの上部と下部とが同じ角度で形成された構成（図６中に二点差線で示す）と比較して、下部がドレンパン９ｂからより離隔することになる。このため、背面側熱交換器８Ｂの下部を通過する空気がドレンパン９ｂにより阻害されることがなく、この空気の風速が低下する事態を防ぐことが可能になる。さらに、この空気調和機によれば、背面側熱交換器８Ｂの下部が、上部よりもプレートフィン８ａの切り起こし８ｃの本数を少なく形成されているため、背面側熱交換器８Ｂの下部は、上部よりも空気の通風抵抗が小さく背面側熱交換器８Ｂの下部を通過する風量が増すので、背面側熱交換器８Ｂの熱交換機能を有効に利用することができる。しかも、背面側熱交換器８Ｂの下部を通過する風量が増すことにより、背面側熱交換器８Ｂの下部を通過する空気の風速の低下を防ぐことから、熱交換器８全体において通過する空気の風速にばらつきがなくなるので、送風音を低減することができる。さらに、角度を大きくした部分が背面側熱交換器８Ｂの下部のみであるため、冷房時に背面側熱交換器８Ｂのプレートフィン８ａ表面で空気中の水蒸気が凝縮して凝縮水となった場合、背面側熱交換器８Ｂの上部において、凝縮水がプレートフィン８ａを下方に伝うことから、凝縮水がプレートフィン８ａ間を通過する空気によって飛ばされることがなく、凝縮水が室内に飛散する事態を防止することができる。また、冷房時に背面側熱交換器８Ｂのプレートフィン８ａ表面で空気中の水蒸気が凝縮して凝縮水となる場合、背面側熱交換器８Ｂの下部を通過する風量が増すために、背面側熱交換器８Ｂの下部において凝縮水の量が増し、一方、背面側熱交換器８Ｂの上部での凝縮水の量が少なくなるので、背面側熱交換器８Ｂの上部において、凝縮水がプレートフィン８ａ間を通過する空気によって飛ばされることがなく、凝縮水が室内に飛散する事態を防止することができる。
【産業上の利用可能性】
【００６３】
以上のように、本発明に係る空気調和機は、室内ユニットの背面側に配置した熱交換器の機能を有効利用しつつ、送風音を低減すると共に、凝縮水の室内への飛散を防止することに適している。
【符号の説明】
【００６４】
１  室内ユニット
２  ケーシング
３  吸込口
４  エアフィルタ
５  送出口
６ａ  ルーバ
６ｂ  フラップ
７  送風機
８  熱交換器
８ａ  プレートフィン
８ｂ  伝熱管
８ｃ  切り起こし
８Ａａ，８Ａｂ，８Ａｃ  正面側熱交換器
８Ｂ  背面側熱交換器
８Ｂａ  上部背面側熱交換器
８Ｂｂ  下部背面側熱交換器
９ａ，９ｂ  ドレンパン
【図１】
0005517633.tif 000002
【図２】
0005517633.tif 000003
【図３】
0005517633.tif 000004
【図４】
0005517633.tif 000005
【図５】
0005517633.tif 000006
【図６】
0005517633.tif 000007